(57)【要約】【課題】アルバムに含める画像群のタイトルを効率よく適切に決定する。【解決手段】付帯情報抽出部１４がタイトルを決定するための画像群に含まれる複数の画像のそれぞれから、例えば画像に含まれる被写体情報、画像の撮影場所を表す撮影場所情報および画像の撮影日を表す撮影日情報を含む付帯情報を抽出する。タイトル決定部１６が、付帯情報に基づいて画像群のタイトルを決定する。【選択図】図２
2007199924.tif 000002
【特許請求の範囲】
【請求項１】
複数の画像からなる画像群に付与するタイトルを決定するタイトル決定装置において、
前記複数の画像のそれぞれに付与された付帯情報を抽出する付帯情報抽出手段と、
該抽出された付帯情報に基づいて、前記画像群のタイトルを決定するタイトル決定手段とを備えたことを特徴とするタイトル決定装置。
【請求項２】
前記付帯情報は、前記画像に含まれる被写体を表す被写体情報、前記画像の撮影場所を表す撮影場所情報および前記画像の撮影日を表す撮影日情報を含むことを特徴とする請求項１記載のタイトル決定装置。
【請求項３】
前記タイトル決定手段は、前記被写体情報に基づいて特定の被写体を含む画像の前記複数の画像に対する割合を第１の割合として算出し、該第１の割合が第１の閾値以上となるか否かの第１の判定を行い、該第１の判定が肯定された場合に前記特定の被写体名を前記画像群のタイトルに決定し、
前記第１の判定が否定された場合に、前記撮影場所情報に基づいて前記複数の画像に最も多く含まれる撮影場所の画像の前記複数の画像に対する割合を第２の割合として算出し、該第２の割合が第２の閾値以上となるか否かの第２の判定を行い、該第２の判定が肯定された場合に前記撮影場所を前記画像群のタイトルに決定し、
前記第２の判定が否定された場合に、前記撮影日情報に基づいて前記複数の画像に最も多く含まれる撮影日の画像の前記複数の画像に対する割合を第３の割合として算出し、該第３の割合が第３の閾値以上となるか否かの第３の判定を行い、該第３の判定が肯定された場合に前記撮影日を前記画像群のタイトルに決定し、
前記第３の判定が否定された場合に汎用タイトルまたはユーザにより入力されたタイトルを前記画像群のタイトルに決定する手段であることを特徴とする請求項２記載のタイトル決定装置。
【請求項４】
前記タイトル決定手段は、前記被写体情報に基づいて特定の被写体を含む画像の前記複数の画像に対する割合を第１の割合として算出し、該第１の割合が第１の閾値以上となるか否かの第１の判定を行い、該第１の判定が肯定された場合に前記特定の被写体名を前記画像群に付与するタイトルに含める第１の仮のタイトルに決定し、
前記撮影場所情報に基づいて前記複数の画像に最も多く含まれる撮影場所の画像の前記複数の画像に対する割合を第２の割合として算出し、該第２の割合が第２の閾値以上となるか否かの第２の判定を行い、該第２の判定が肯定された場合に前記撮影場所を前記画像群に付与するタイトルに含める第２の仮のタイトルに決定し、
前記撮影日情報に基づいて前記複数の画像に最も多く含まれる撮影日の画像の前記複数の画像に対する割合を第３の割合として算出し、該第３の割合が第３の閾値以上となるか否かの第３の判定を行い、該第３の判定が肯定された場合に前記撮影日を前記画像群に付与するタイトルに含める第３の仮のタイトルに決定し、
前記第１から前記第３の判定のうち少なくとも１つの判定が肯定された場合に、判定が肯定されたことにより決定されたすべての仮のタイトルを前記画像群のタイトルに決定し、
前記第１から前記第３のすべての判定が否定された場合、汎用タイトルまたはユーザにより入力されたタイトルを前記画像群のタイトルに決定する手段であることを特徴とする請求項２記載のタイトル決定装置。
【請求項５】
前記特定の被写体は、前記画像群の主人公であることを特徴とする請求項３または４記載のタイトル決定装置。
【請求項６】
前記特定の被写体は、前記画像群に含まれる被写体のうち最も多くの画像に含まれる被写体であることを特徴とする請求項３または４記載のタイトル決定装置。
【請求項７】
前記タイトル決定手段が決定したタイトルを、前記画像群をレイアウトしてプリント出力したアルバムの表紙にプリントするアルバム作成手段をさらに備えたことを特徴とする請求項１から６のいずれか１項記載のタイトル決定装置。
【請求項８】
前記タイトル決定手段が決定したタイトルを表示可能にする表示手段と、
前記タイトル候補を用いたアルバムのタイトルのレイアウトの指示を受け付け、指示されたレイアウトにより前記アルバムの表紙に前記タイトルをプリントするアルバム作成手段とをさらに備えたことを特徴とする請求項１から６のいずれか１項記載のタイトル決定装置。
【請求項９】
複数の画像からなる画像群に付与するタイトルを決定するタイトル決定方法において、
前記複数の画像のそれぞれに付与された付帯情報を抽出し、
該抽出された付帯情報に基づいて、前記画像群のタイトルを決定することを特徴とするタイトル決定方法。
【請求項１０】
複数の画像からなる画像群に付与するタイトルを決定するタイトル決定方法をコンピュータに実行させるためのプログラムにおいて、
前記複数の画像のそれぞれに付与された付帯情報を抽出する手順と、
該抽出された付帯情報に基づいて、前記画像群のタイトルを決定する手順とを有することを特徴とするプログラム。
【発明の詳細な説明】
【技術分野】
【０００１】
本発明は、複数の画像からなる画像群のタイトルを決定するタイトル決定装置および方法並びにタイトル決定方法をコンピュータに実行させるためのプログラムに関するものである。
【背景技術】
【０００２】
デジタルカメラおよびスキャナの普及により、誰もが手軽にデジタルの画像を取得することが可能となっている。また、画像をパソコンに取り込んで整理することも行われている。この場合、画像の整理は、ユーザに起こったイベント毎に画像をカテゴリに分類して行うことが多い。例えば、子供の運動会があった場合には運動会というカテゴリに画像を分類し、家族旅行があった場合には家族旅行というカテゴリに画像を分類している。このように画像を複数のカテゴリに分類しておけば、後で画像を参照する際にイベント毎に画像を参照できるため、画像の整理を容易に行うことができる。
【０００３】
また、このようにカテゴリに分類した複数の画像を適宜レイアウトして用紙にプリント出力し、さらにこれを製本することによりアルバムを作成するサービスが提供されている。ユーザはこのようなサービスを利用することにより、イベント毎にアルバムを作成することができるため、分類された画像の管理を容易に行うことができる。
【０００４】
一方、カテゴリに分類された個々の画像に画像のタイトルを付与する手法が提案されている（特許文献１参照）。特許文献１に記載された手法によれば、画像に関する複数の撮影情報（ホワイトバランス情報、フォーカス情報等）を論理演算することにより、撮影情報の内容を総合的に解釈して画像のシーンの種別を判定し、判定されたシーンに基づいて画像のタイトルを決定するものである。このように特許文献１の手法によれば、ユーザは煩わしい作業を行うことなく、アルバムに含まれる個々の画像にタイトルを付与することができる。
【特許文献１】特開２０００−１６５８１０号公報
【発明の開示】
【発明が解決しようとする課題】
【０００５】
ところで、上述したアルバムには表紙にそのアルバムのタイトルがプリントされるが、アルバムのタイトルは、アルバムに含まれる複数の画像からなる画像群を代表するものである必要がある。しかしながら、アルバムのタイトルは、アルバムに含まれる画像群の内容を考慮して、作業者（例えばユーザ等）が思案検討して決定する必要があるため、その作業は非常に煩雑で能率が悪く、しかも適切なタイトルを決定することが困難なことが多い。
【０００６】
本発明は上記事情に鑑みなされたものであり、アルバムに含める画像群のタイトルを効率よく適切に決定することを目的とする。
【課題を解決するための手段】
【０００７】
本発明による画像群のタイトル決定装置は、複数の画像からなる画像群に付与するタイトルを決定するタイトル決定装置において、
前記複数の画像のそれぞれに付与された付帯情報を抽出する付帯情報抽出手段と、
該抽出された付帯情報に基づいて、前記画像群のタイトルを決定するタイトル決定手段とを備えたことを特徴とするものである。
【０００８】
なお、本発明によるタイトル決定装置においては、前記付帯情報を、前記画像に含まれる被写体を表す被写体情報、前記画像の撮影場所を表す撮影場所情報および前記画像の撮影日を表す撮影日情報を含むものとしてもよい。
【０００９】
また、本発明によるタイトル決定装置においては、前記タイトル決定手段を、前記被写体情報に基づいて特定の被写体を含む画像の前記複数の画像に対する割合を第１の割合として算出し、該第１の割合が第１の閾値以上となるか否かの第１の判定を行い、該第１の判定が肯定された場合に前記特定の被写体名を前記画像群のタイトルに決定し、
前記第１の判定が否定された場合に、前記撮影場所情報に基づいて前記複数の画像に最も多く含まれる撮影場所の画像の前記複数の画像に対する割合を第２の割合として算出し、該第２の割合が第２の閾値以上となるか否かの第２の判定を行い、該第２の判定が肯定された場合に前記撮影場所を前記画像群のタイトルに決定し、
前記第２の判定が否定された場合に、前記撮影日情報に基づいて前記複数の画像に最も多く含まれる撮影日の画像の前記複数の画像に対する割合を第３の割合として算出し、該第３の割合が第３の閾値以上となるか否かの第３の判定を行い、該第３の判定が肯定された場合に前記撮影日を前記画像群のタイトルに決定し、
前記第３の判定が否定された場合に汎用タイトルまたはユーザにより入力されたタイトルを前記画像群のタイトルに決定する手段としてもよい。
【００１０】
また、本発明によるタイトル決定装置においては、前記タイトル決定手段を、前記被写体情報に基づいて特定の被写体を含む画像の前記複数の画像に対する割合を第１の割合として算出し、該第１の割合が第１の閾値以上となるか否かの第１の判定を行い、該第１の判定が肯定された場合に前記特定の被写体名を前記画像群に付与するタイトルに含める第１の仮のタイトルに決定し、
前記撮影場所情報に基づいて前記複数の画像に最も多く含まれる撮影場所の画像の前記複数の画像に対する割合を第２の割合として算出し、該第２の割合が第２の閾値以上となるか否かの第２の判定を行い、該第２の判定が肯定された場合に前記撮影場所を前記画像群に付与するタイトルに含める第２の仮のタイトルに決定し、
前記撮影日情報に基づいて前記複数の画像に最も多く含まれる撮影日の画像の前記複数の画像に対する割合を第３の割合として算出し、該第３の割合が第３の閾値以上となるか否かの第３の判定を行い、該第３の判定が肯定された場合に前記撮影日を前記画像群に付与するタイトルに含める第３の仮のタイトルに決定し、
前記第１から前記第３の判定のうち少なくとも１つの判定が肯定された場合に、判定が肯定されたことにより決定されたすべての仮のタイトルを前記画像群のタイトルに決定し、
前記第１から前記第３のすべての判定が否定された場合、汎用タイトルまたはユーザにより入力されたタイトルを前記画像群のタイトルに決定する手段としてもよい。
【００１１】
なお、前記特定の被写体は、前記画像群の主人公としてもよく、前記画像群に含まれる被写体のうち最も多くの画像に含まれる被写体としてもよい。
【００１２】
また、本発明によるタイトル決定装置においては、前記タイトル決定手段が決定したタイトルを、前記画像群をレイアウトしてプリント出力したアルバムの表紙にプリントするアルバム作成手段をさらに備えるものとしてもよい、
また、本発明によるタイトル決定装置においては、前記タイトル決定手段が決定したタイトルを表示可能にする表示手段と、
前記タイトル候補を用いたアルバムのタイトルのレイアウトの指示を受け付け、指示されたレイアウトにより前記アルバムの表紙に前記タイトルをプリントするアルバム作成手段とをさらに備えるものとしてもよい。
【００１３】
本発明による画像群のタイトル決定方法は、複数の画像からなる画像群に付与するタイトルを決定するタイトル決定方法において、
前記複数の画像のそれぞれに付与された付帯情報を抽出し、
該抽出された付帯情報に基づいて、前記画像群のタイトルを決定することを特徴とするものである。
【００１４】
なお、本発明による画像群のタイトル決定方法をコンピュータに実行させるためのプログラムとして提供してもよい。
【発明の効果】
【００１５】
本発明によれば、複数の画像のそれぞれに付帯された付帯情報を抽出し、抽出した付帯情報に基づいて画像群のタイトルを決定するようにしたため、タイトルを決定するために思案検討する必要がなくなり、その結果、アルバムに含める画像群のタイトルを効率よく適切に決定することができる。
【００１６】
また、付帯情報を画像に含まれる被写体を表す被写体情報、画像の撮影場所を表す撮影場所情報および画像の撮影日を表す撮影日情報を含むものとすることにより、画像群のタイトルを、画像群に含まれる画像の被写体、撮影場所および撮影日に応じたタイトルに決定することができる。
【発明を実施するための最良の形態】
【００１７】
以下、図面を参照して本発明の実施形態について説明する。図１は本発明の実施形態による画像群のタイトル決定装置を適用したアルバム注文システムの構成を示す概略図である。図１に示すように、本実施形態によるアルバム注文システムは、タイトル決定サーバ１と、ユーザのパソコン３と接続されるアルバム受け付けサーバ２と、プリント出力を行うプリントサーバ４とを備え、これらがネットワークにより接続されることにより構成されている。
【００１８】
アルバム受け付けサーバ２は、アルバムの注文を受け付けるためのアルバム注文ウェブサイトをユーザに提供する。ユーザはパソコン３からアルバム注文ウェブサイトにアクセスすることにより、アルバムを作成するための複数の画像からなる画像群のアルバム受け付けサーバ２への送信、および注文の指示等を行うことができる。
【００１９】
タイトル決定サーバ１は、ユーザがアルバム受け付けサーバ２に注文を行ったアルバムのタイトルを後述するように決定する。
【００２０】
プリントサーバ４は、アルバム受け付けサーバ２からの指示により、ユーザが注文したアルバムをプリント出力するとともに、後述するように決定されたアルバムのタイトルをアルバムの表紙にプリントする。
【００２１】
図２はタイトル決定サーバ１の構成を示す概略ブロック図である。なお、タイトル決定サーバ１が本発明による画像群のタイトル決定装置に対応するものである。図２に示すように、タイトル決定サーバ１は、付帯情報が付与された複数の画像の入力を受け付けたり、各種情報の入出力を行う入出力部１２と、複数の画像のそれぞれの付帯情報を抽出する付帯情報抽出部１４と、抽出した付帯情報に基づいてユーザのアルバムのタイトルを決定するタイトル決定部１６と、画像および各種情報を保存するハードディスク等からなる記憶部２２と、入出力部１２、付帯情報抽出部１４、タイトル決定部１６および記憶部２２の駆動を制御するＣＰＵ２４と、サーバ１に対する指示の入力を行うためのキーボードおよびマウス等からなる入力部２６とを備える。
【００２２】
入出力部１２は、アルバム受け付けサーバ２がインターネット経由で送信した画像や各種情報を送受信するネットワークインターフェース、複数の画像を記録したメディアに対する画像を含む情報の記録および読み出しを行うメディアドライブ等、有線あるいは無線により画像を含む各種情報のサーバ１に対する入出力を行うことが可能な各種インターフェース、ドライブを含むものである。なお、入出力部１２から入力された画像は記憶部２２に保存される。
【００２３】
そして、タイトル決定サーバ１は、アルバム受け付けサーバ２から送信されたユーザの画像群を用いたアルバムのタイトルを以下のように決定する。なお、以下に説明するタイトルの決定処理を第１の処理と称する。図３は本実施形態において行われる第１の処理を示すフローチャートである。アルバム受け付けサーバ２が送信した、ユーザのアルバム作成用の複数の画像をタイトル決定サーバ１が受信することによりＣＰＵ２４が処理を開始し、まず付帯情報抽出部１４が複数の画像のそれぞれの付帯情報を抽出する（ステップＳＴ１）。
【００２４】
なお、本実施形態においては付帯情報は画像のタグに記述された情報を用いる。具体的には、画像がユーザが指定した主人公を含むことを表す主人公情報、画像の撮影場所を表す撮影場所情報および画像の撮影日を表す撮影日情報を付帯情報として用いる。
【００２５】
ここで、主人公情報はユーザがあらかじめユーザのパソコン３において主人公を含む画像にその旨および主人公名を入力することにより画像に付与してもよく、主人公を含む画像を主人公名とともにタイトル決定サーバ１のオペレータに知らせ、オペレータが入力部２６から主人公を含む画像にその旨および主人公名を入力することにより画像に付与してもよい。また、主人公を含む旨および主人公名の画像への付与はアルバム受け付けサーバ２において行うようにしてもよい。
【００２６】
また、あらかじめユーザから主人公の画像の提示を受け、複数の画像に対して主人公の画像を用いた画像認識を行って、主人公を含むことが認識された画像に主人公情報を付与するようにしてもよい。
【００２７】
一方、撮影場所情報は撮影場所情報を画像に付与することが可能なデジタルカメラによる撮影時に画像に付与されたものを使用する。ここで、撮影場所情報は撮影場所の緯度および経度の情報である。
【００２８】
また、撮影日情報はデジタルカメラによる撮影時に画像に付与されたものを使用する。ここで、画像には撮影年月日および撮影時間の情報が付与されているが、本実施形態においては撮影年月日の情報を撮影日情報として取得するものとする。
【００２９】
ここで、付帯情報抽出部１４は抽出した付帯情報の一覧を生成する。図４は付帯情報の一覧を示す図である。図４に示すように付帯情報の一覧は、画像のファイル名毎に主人公を含むことを表す主人公情報、撮影場所を表す撮影場所情報および撮影日を表す撮影日情報が対応づけられている。なお、生成された付帯情報の一覧は記憶部２２に記憶される。なお、主人公情報については、主人公情報が付与されている場合に「１」の情報が一覧に記述される。また、主人公名（ここでは「太郎」）も一覧に含められる。
【００３０】
続いて、タイトル決定部１６がアルバムのタイトルを決定する。まず、画像群に含まれる複数の画像のうち、主人公情報が付与されている画像、すなわち主人公を含む画像の全画像に対する割合Ｘｈを算出する（ステップＳＴ２）。そして、割合Ｘｈがあらかじめ定めた所定の閾値Ｔｈ１以上であるか否かを判定し（ステップＳＴ３）、ステップＳＴ３が肯定されると、アルバムのタイトルを主人公名に決定し（ステップＳＴ４）、処理を終了する。
【００３１】
ステップＳＴ３が否定されると、画像群に含まれる複数の画像の撮影場所毎の割合Ｘｐｉ（ｉ＝１〜ｎ：ｎは撮影場所の数）を算出する（ステップＳＴ５）。ここで、タイトル決定サーバ１の記憶部２２には図５に示すように緯度および経度と撮影場所名とを対応づけた撮影場所テーブルＴＢＬが記憶されている。タイトル決定部１６は各画像の撮影場所情報と撮影場所テーブルＴＢＬとを参照して各画像の撮影場所名を特定し、撮影場所毎の割合Ｘｐｉを算出する。なお、撮影場所テーブルＴＢＬの緯度および経度は撮影場所名の中心位置を表すものであり、中心位置を基準とした所定範囲の領域内に画像の撮影場所の緯度および経度が含まれる場合に、その画像の撮影場所を撮影場所テーブルＴＢＬにおいて対応する撮影場所名に決定するものとする。また、撮影場所テーブルＴＢＬに撮影場所が含まれない画像については、撮影場所の割合の算出には使用しないものとする。
【００３２】
このように算出した撮影場所の割合Ｘｐｉは、例えば画像群が２０枚の画像を含み、そのうち１２枚の撮影場所が東京ディズニーランド、８枚の撮影場所がお台場の場合、東京ディズニーランドが６０％、お台場が４０％となる。
【００３３】
続いて、算出した割合Ｘｐｉのうち、最も値が大きい割合Ｘｐｍａｘがあらかじめ定めた所定の閾値Ｔｈ２以上であるか否かを判定する（ステップＳＴ６）。ステップＳＴ６が肯定されるとアルバムのタイトルを最も値が大きい割合Ｘｐｍａｘとなった撮影場所名に決定し（ステップＳＴ７）、処理を終了する。
【００３４】
ステップＳＴ６が否定されると、画像群に含まれる複数の画像の撮影日毎の割合Ｘｄｊ（ｊ＝１〜ｍ：ｍは撮影日の数）を算出する（ステップＳＴ８）。例えば画像群が２０枚の画像を含み、そのうち１２枚の撮影日が２００５年１２月１８日であり、８枚の撮影日が２００５年１２月２０日の場合、２００５年１２月１８日が６０％、２００５年１２月２０日が４０％となる。
【００３５】
続いて、算出した割合Ｘｄｊのうち、最も値が大きい割合Ｘｄｍａｘがあらかじめ定めた所定の閾値Ｔｈ３以上であるか否かを判定する（ステップＳＴ９）。ステップＳＴ９が否定されると、アルバムのタイトルを最も値が大きい割合Ｘｄｍａｘとなった撮影日に決定し（ステップＳＴ１０）、処理を終了する。
【００３６】
ステップＳＴ９が否定されると、アルバムのタイトルを汎用のタイトルに決定し（ステップＳＴ１１）、処理を終了する。
【００３７】
ここで、汎用のタイトルとは、例えば「アルバム」、「思い出」等の画像の主人公、撮影場所および撮影日とは関連がないが、アルバムとして使用するのに適したタイトルである。
【００３８】
なお、ステップＳＴ９が否定された場合には、汎用のタイトルを付与するのに代えて、ユーザが入力したタイトルをアルバムのタイトルに決定してもよい。この処理は、ステップＳＴ９が否定されたときにその旨をアルバム受け付けサーバ２に通知し、これによりアルバム受け付けサーバ２がユーザのパソコン３にタイトル入力画面を表示し、ユーザがタイトル入力画面からアルバムのタイトルを入力することにより行われる。
【００３９】
このように決定されたタイトルは、アルバム受け付けサーバ２に送信される。アルバム受け付けサーバ２は、ユーザの複数の画像を適宜レイアウトしてプリントサーバ４により複数の用紙にプリント出力する。なお、レイアウトはユーザがパソコン３により指定したり、修正できるようにしてもよい。そして、タイトル決定サーバ１が決定したタイトルをプリントサーバ４によりアルバムの表紙にプリントする。さらに、プリント出力した用紙を製本してユーザに渡すことにより、アルバムの作成を完了する。
【００４０】
このように、本実施形態においては、複数の画像のそれぞれに付帯された付帯情報に基づいて、アルバムのタイトルを決定するようにしたため、タイトルを決定するために思案検討する必要がなくなり、その結果、アルバムに含める複数の画像を含むアルバムのタイトルを効率よく適切に決定することができる。
【００４１】
次いで、本実施形態において行われる第２の処理について説明する。図６は本実施形態において行われる第２の処理を示すフローチャートである。アルバム受け付けサーバ２が送信した、ユーザのアルバム作成用の複数の画像をタイトル決定サーバ１が受信することによりＣＰＵ２４が処理を開始し、まず付帯情報抽出部１４が複数の画像のそれぞれの付帯情報を抽出する（ステップＳＴ２１）。
【００４２】
続いて、タイトル決定部１６がアルバムのタイトルを決定する。まず、画像群に含まれる複数の画像のうち、主人公情報が付与されている画像、すなわち主人公を含む画像の全画像に対する割合Ｘｈを算出する（ステップＳＴ２２）。そして、割合Ｘｈがあらかじめ定めた所定の閾値Ｔｈ４以上であるか否かの第１の判定を行い（ステップＳＴ２３）、ステップＳＴ２３が肯定されると、アルバムのタイトルに含める仮のタイトルを主人公名に決定し（ステップＳＴ２４）、ステップＳＴ２５に進む。
【００４３】
ステップＳＴ２３が否定されると、画像群に含まれる複数の画像の撮影場所毎の割合Ｘｐｉ（ｉ＝１〜ｎ：ｎは撮影場所の数）を算出する（ステップＳＴ２５）。続いて、算出した割合Ｘｐｉのうち、最も値が大きい割合Ｘｐｍａｘがあらかじめ定めた所定の閾値Ｔｈ５以上であるか否かの第２の判定を行う（ステップＳＴ２６）。ステップＳＴ２６が肯定されるとアルバムのタイトルに含める仮のタイトルを最も値が大きい割合Ｘｐｍａｘとなった撮影場所名に決定し（ステップＳＴ２７）、ステップＳＴ２８に進む。
【００４４】
ステップＳＴ２６が否定されると、画像群に含まれる複数の画像の撮影日毎の割合Ｘｄｊ（ｊ＝１〜ｍ：ｍは撮影日の数）を算出する（ステップＳＴ２８）。続いて、算出した割合Ｘｄｊのうち、最も値が大きい割合Ｘｄｍａｘがあらかじめ定めた所定の閾値Ｔｈ６以上であるか否かの第３の判定を行う（ステップＳＴ２９）。ステップＳＴ２９が否定されると、アルバムに含める仮のタイトルを最も値が大きい割合Ｘｄｍａｘとなった撮影日に決定し（ステップＳＴ３０）、ステップＳＴ３１に進む。
【００４５】
ステップＳＴ２９が否定されると、第１から第３の判定のすべてが否定されたか否かを判定し（ステップＳＴ３１）、ステップＳＴ３１が否定されると、アルバムのタイトルを決定されたすべての仮のタイトルを並べたタイトルに決定し（ステップＳＴ３２）、処理を終了する。なお、仮のタイトルを並べる順序は例えば、主人公名、撮影場所名および撮影日の順序とするが、いかなる順序であってもよい。ステップＳＴ３１が肯定されると、アルバムのタイトルを汎用のタイトルに決定し（ステップＳＴ３２）、処理を終了する。なお、アルバムのタイトルをユーザが入力したタイトルに決定してもよい。
【００４６】
このように決定されたタイトルは、アルバム受け付けサーバ２に送信される。アルバム受け付けサーバ２は、ユーザの複数の画像を適宜レイアウトしてプリントサーバ４により複数の用紙にプリント出力する。なお、レイアウトはユーザがパソコン３により指定したり、修正できるようにしてもよい。そして、タイトル決定サーバ１が決定したタイトルをプリントサーバ４によりアルバムの表紙にプリントする。さらに、プリント出力した用紙を製本してユーザに渡すことにより、アルバムの作成を完了する。
【００４７】
次いで、本実施形態において行われる第３の処理について説明する。図７は本実施形態において行われる第３の処理を示すフローチャートである。アルバム受け付けサーバ２が送信した、ユーザのアルバム作成用の複数の画像をタイトル決定サーバ１が受信することによりＣＰＵ２４が処理を開始し、まず付帯情報抽出部１４が複数の画像のそれぞれの付帯情報を抽出する（ステップＳＴ４１）。
【００４８】
なお、第３の処理においても、付帯情報は画像のタグに記述された情報を用いるが、第３の処理においては、上記第１および第２の処理において使用した主人公情報に代えて、各画像に含まれる人物を表す被写体情報を用いる。
【００４９】
ここで、被写体情報はユーザがあらかじめユーザのパソコンにおいて各画像に含まれる被写体名を入力することにより各画像に付与してもよく、各画像に含まれる被写体名をタイトル決定サーバ１のオペレータに知らせ、オペレータが入力部２６から各画像に対する被写体名を入力することにより各画像に付与してもよい。また、被写体情報の画像への付与はアルバム受け付けサーバ２において行うようにしてもよい。
【００５０】
また、あらかじめユーザからユーザが送信した画像群に含まれる被写体の画像の提示を受け、複数の画像に対して被写体の画像を用いた画像認識を行って、被写体を含むと認識された画像に、含まれると認識された被写体を表す被写体情報を付与するようにしてもよい。
【００５１】
図８は第３の処理において生成された付帯情報の一覧を示す図である。図８に示すように付帯情報の一覧は画像のファイル名毎に被写体情報、撮影場所を表す撮影場所情報および撮影日を表す撮影日情報が対応づけられている。なお、作成された付帯情報の一覧は記憶部２２に記憶される。なお、被写体情報は画像に含まれる被写体を表す符号が一覧に含められている（Ａが太郎、Ｂが次郎）。
【００５２】
続いて、タイトル決定部１６がアルバムのタイトルを決定する。まず、画像群に含まれる複数の画像について含まれる被写体名の被写体毎の割合Ｘｈｌ（ｌ＝１〜ｐ：ｐは被写体数）を算出する（ステップＳＴ４２）。このように算出した被写体毎の割合Ｘｈｌは、例えば画像群が２０枚の画像を含み、そのうち１２枚の画像の被写体がＡ、８枚の画像の被写体がＢの場合、Ａが６０％、Ｂ４０％となる。
【００５３】
続いて、算出した割合Ｘｈｌのうち、最も値が大きい割合Ｘｈｍａｘがあらかじめ定めた所定の閾値Ｔｈ７以上であるか否かを判定し（ステップＳＴ４３）、ステップＳＴ４３が肯定されると、アルバムのタイトルを最も値が大きい割合Ｘｈｍａｘとなった被写体名に決定し（ステップＳＴ４４）、処理を終了する。
【００５４】
ステップＳＴ４３が否定されると、画像群に含まれる複数の画像の撮影場所毎の割合Ｘｐｉ（ｉ＝１〜ｎ：ｎは撮影場所の数）を算出する（ステップＳＴ４５）。続いて、算出した割合Ｘｐｉのうち、最も値が大きい割合Ｘｐｍａｘがあらかじめ定めた所定の閾値Ｔｈ８以上であるか否かを判定する（ステップＳＴ４６）。ステップＳＴ４６が肯定されるとアルバムのタイトルを最も値が大きい割合Ｘｐｍａｘとなった撮影場所名に決定し（ステップＳＴ４７）、処理を終了する。
【００５５】
ステップＳＴ４６が否定されると、画像群に含まれる複数の画像の撮影日毎の割合Ｘｄｊ（ｊ＝１〜ｍ：ｍは撮影日の数）を算出する（ステップＳＴ４８）。続いて、算出した割合Ｘｄｊのうち、最も値が大きい割合Ｘｄｍａｘがあらかじめ定めた所定の閾値Ｔｈ９以上であるか否かを判定する（ステップＳＴ４９）。ステップＳＴ４９が否定されると、アルバムのタイトルを最も値が大きい割合Ｘｄｍａｘとなった撮影日に決定し（ステップＳＴ５０）、処理を終了する。
【００５６】
ステップＳＴ４９が否定されると、アルバムのタイトルを汎用のタイトルに決定し（ステップＳＴ５１）、処理を終了する。なお、アルバムのタイトルをユーザが入力したタイトルに決定してもよい。
【００５７】
このように決定されたタイトルは、アルバム受け付けサーバ２に送信される。アルバム受け付けサーバ２は、ユーザの複数の画像を適宜レイアウトしてプリントサーバ４により複数の用紙にプリント出力する。なお、レイアウトはユーザがパソコン３により指定したり、修正できるようにしてもよい。そして、タイトル決定サーバ１が決定したタイトルをプリントサーバ４によりアルバムの表紙にプリントする。さらに、プリント出力した用紙を製本してユーザに渡すことにより、アルバムの作成を完了する。
【００５８】
次いで、本実施形態において行われる第４の処理について説明する。図９は本実施形態において行われる第４の処理を示すフローチャートである。アルバム受け付けサーバ２が送信した、ユーザのアルバム作成用の複数の画像をタイトル決定サーバ１が受信することによりＣＰＵ２４が処理を開始し、まず付帯情報抽出部１４が複数の画像のそれぞれの付帯情報を抽出する（ステップＳＴ６１）。
【００５９】
なお、第４の処理においては第３の処理と同様に、第１および第２の処理において使用した主人公情報に代えて、各画像に含まれる人物を表す被写体の情報を用いる。
【００６０】
続いて、タイトル決定部１６がアルバムのタイトルを決定する。まず、画像群に含まれる複数の画像について含まれる被写体名の被写体毎の割合Ｘｈｌ（ｌ＝１〜ｐ：ｐは被写体数）を算出する（ステップＳＴ６２）。
【００６１】
続いて、算出した割合Ｘｈｌのうち、最も値が大きい割合Ｘｈｍａｘがあらかじめ定めた所定の閾値Ｔｈ１０以上であるか否かの第１の判定を行い（ステップＳＴ６３）、ステップＳＴ６３が肯定されると、アルバムのタイトルに含める仮のタイトルを最も値が大きい割合Ｘｈｍａｘとなった被写体名に決定し（ステップＳＴ６４）、ステップＳＴ６５に進む。
【００６２】
ステップＳＴ６３が否定されると、画像群に含まれる複数の画像の撮影場所毎の割合Ｘｐｉ（ｉ＝１〜ｎ：ｎは撮影場所の数）を算出する（ステップＳＴ６５）。続いて、算出した割合Ｘｐｉのうち、最も値が大きい割合Ｘｐｍａｘがあらかじめ定めた所定の閾値Ｔｈ１１以上であるか否かの第２の判定を行う（ステップＳＴ６６）。ステップＳＴ６６が肯定されるとアルバムのタイトルに含める仮のタイトルを最も値が大きい割合Ｘｐｍａｘとなった撮影場所名に決定し（ステップＳＴ６７）、ステップＳＴ６８に進む。
【００６３】
ステップＳＴ６６が否定されると、画像群に含まれる複数の画像の撮影日毎の割合Ｘｄｊ（ｊ＝１〜ｍ：ｍは撮影日の数）を算出する（ステップＳＴ６８）。続いて、算出した割合Ｘｄｊのうち、最も値が大きい割合Ｘｄｍａｘがあらかじめ定めた所定の閾値Ｔｈ１２以上であるか否かの第３の判定を行う（ステップＳＴ６９）。ステップＳＴ６９が否定されると、アルバムに含める仮のタイトルを最も値が大きい割合Ｘｄｍａｘとなった撮影日に決定し（ステップＳＴ７０）、ステップＳＴ７１に進む。
【００６４】
ステップＳＴ６９が否定されると、第１から第３の判定のすべてが否定されたか否かを判定し（ステップＳＴ７１）、ステップＳＴ７１が否定されると、アルバムのタイトルを決定されたすべての仮のタイトルを並べたタイトルに決定し（ステップＳＴ７２）、処理を終了する。なお、仮のタイトルを並べる順序は例えば、主人公名、撮影場所名および撮影日の順序とするが、いかなる順序であってもよい。ステップＳＴ７１が肯定されると、アルバムのタイトルを汎用のタイトルに決定し（ステップＳＴ７２）、処理を終了する。なお、アルバムのタイトルをユーザが入力したタイトルに決定してもよい。
【００６５】
このように決定されたタイトルは、アルバム受け付けサーバ２に送信される。アルバム受け付けサーバ２は、ユーザの複数の画像を適宜レイアウトしてプリントサーバ４により複数の用紙にプリント出力する。なお、レイアウトはユーザがパソコン３により指定したり、修正できるようにしてもよい。そして、タイトル決定サーバ１が決定したタイトルをプリントサーバ４によりアルバムの表紙にプリントする。さらに、プリント出力した用紙を製本してユーザに渡すことにより、アルバムの作成を完了する。
【００６６】
なお、上記第１から第４の処理においては、決定したタイトルをアルバムの表紙にプリントしているが、決定したタイトルをユーザに提示し、ユーザがタイトルを適宜修正したり、タイトルのレイアウトを変更できるようにしてもよい。すなわち、タイトル決定サーバ１が決定したアルバムのタイトルをアルバム受け付けサーバ２へ送信し、アルバム受け付けサーバ２がユーザのパソコン３に決定したタイトルを、アルバムの表紙をレイアウトするためのレイアウト画面とともに送信する。
【００６７】
図１０はレイアウト画面の例を示す図である。図１０に示すように、レイアウト画面３０は、タイトル決定サーバ１が決定したタイトルを表示するためのタイトル表示エリア３０Ａ、およびアルバムの表紙をレイアウトするためのレイアウトエリア３０Ｂを含む。レイアウトエリア３０Ｂにはアルバムの表紙の画像３０Ｃが表示されている。また、画像３０Ｃには、アルバムを代表する画像３０Ｄが含まれている。
【００６８】
ユーザは、タイトル表示エリア３０Ａにおいて所望とするタイトルを選択してタイトル入力エリア３０Ｄにドラッグアンドドロップすることにより、表紙の画像３０Ｃに所望とするタイトルをレイアウトすることができる。なお、レイアウトしたタイトルをユーザが所望とするタイトルに変更することも可能である。
【００６９】
そして、ユーザがレイアウトしたタイトル確定の指示をアルバム受け付けサーバ２に送信すると、アルバム受け付けサーバ２はユーザのレイアウトに応じてアルバムの表紙を作成し、作成したアルバムをユーザに提供することができる。
【００７０】
なお、上記実施形態においては、タイトル決定サーバ１において、付帯情報の抽出およびタイトルの決定を行っているが、タイトル決定サーバ１においてタイトルの決定のみを行い、付帯情報の抽出については、付帯情報の抽出処理を行う付帯情報抽出サーバを設け、このサーバにおいて付帯情報の抽出の処理を行うようにしてもよい。
【００７１】
以上、本発明の実施形態について説明したが、コンピュータを、上記の付帯情報抽出部１４およびタイトル決定部１６に対応する手段として機能させ、図３，６，７，９に示すような処理を行わせるプログラムも、本発明の実施形態の１つである。また、そのようなプログラムを記録したコンピュータ読取可能な記録媒体も、本発明の実施形態の１つである。これらの場合において、撮影場所テーブルＴＢＬは、プログラム内あるいは同一の記録媒体内に含まれているものであってもよいし、外部の装置や別個の媒体から提供されるものであってもよい。
【図面の簡単な説明】
【００７２】
【図１】本発明の実施形態によるタイトル決定装置を適用したアルバム注文システムの構成を示す概略図
【図２】タイトル決定サーバの構成を示す概略ブロック図
【図３】本実施形態の第１の処理を示すフローチャート
【図４】第１の処理において抽出された付帯情報の一覧を示す図
【図５】撮影場所テーブルを示す図
【図６】本実施形態の第２の処理を示すフローチャート
【図７】本実施形態の第３の処理を示すフローチャート
【図８】第２の処理において抽出された付帯情報の一覧を示す図
【図９】本実施形態の第４の処理を示すフローチャート
【図１０】レイアウト画面を示す図（その１）
【図１１】レイアウト画面を示す図（その２）
【符号の説明】
【００７３】
１    タイトル決定サーバ
２    アルバム受け付けサーバ
３    パソコン
４    プリントサーバ
１２    入出力部
１４    付帯情報抽出部
１６    タイトル決定部
２２    記憶部
３０    レイアウト画面
【図１】
2007199924.tif 000003
【図２】
2007199924.tif 000004
【図３】
2007199924.tif 000005
【図４】
2007199924.tif 000006
【図５】
2007199924.tif 000007
【図６】
2007199924.tif 000008
【図７】
2007199924.tif 000009
【図８】
2007199924.tif 000010
【図９】
2007199924.tif 000011
【図１０】
2007199924.tif 000012
【図１１】
2007199924.tif 000013